(57)【要約】【課題】  操作性向上のために画像形成装置の複数のロックを同時に解除する従来のロック解除連動方式はガイド部材の回動方向が一緒な装置構成を前提としていたので、回動方向が異なった複数の扉のロック解除には適用できなかった。【解決手段】  反転扉５７と下ガイド８４とは、回動方向が互いに異なり、回動軌跡がオーバーラップしている。下ガイド８４は、ラッチ軸９５に設けられたガイドフック９３で閉鎖位置にロックされる。反転扉５７を開くと、反転扉５７の当接部８８が、ラッチ軸９５のロック解除部材８７と接して、ガイドフック９３による下ガイド８４のロックを解除するようにラッチ軸９５を回動させる。【選択図】  図５
2011011838.tif 000002
【特許請求の範囲】
【請求項１】
シートが搬送される第１搬送路を開放可能なように回動自在に支持された第１ガイド部材と、
シートが搬送される第２搬送路を開放可能なように回動自在に支持され、前記第１ガイド部材と回転方向が異なっている、第２ガイド部材と、
前記第１ガイド部材をロックするロック手段と、
前記第２ガイド部材が前記第２搬送路を開く方向に回動するのに連動して、前記ロック手段のロック解除を行わせる連動手段と、を備えることを特徴とするシート搬送装置。
【請求項２】
前記ロック手段は、回動自在な軸に設けられ、
前記連動手段は、前記軸に設けられていて前記第２ガイド部材と接するロック解除部によって構成され、
前記第２搬送路を開くように前記第２ガイド部材を回動させると、前記第２ガイド部材が、前記ロック解除部と接して、前記ロック手段による前記第１ガイド部材のロックを解除するように前記軸を回動させることを特徴する請求項１に記載のシート搬送装置。
【請求項３】
前記第２ガイド部材をロックする第２ロック手段と、
前記第２ロック手段によるロックを解除するためのロック解除操作部と、
前記第２ガイド部材を開く方向に付勢する付勢手段と、を備えており、
前記第２ロック手段によるロックが前記ロック解除操作部の操作によって解除されると前記付勢手段の付勢力によって前記第２ガイド部材が回動し、
前記連動手段は、前記付勢手段の付勢力による前記第２ガイド部材の回動に連動して前記ロック手段のロック解除を行わせることを特徴とする請求項１に記載のシート搬送装置。
【請求項４】
前記第２ガイド部材を回動自在に支持するヒンジ部を備え、
前記ロック手段は、回動自在な軸に設けられた鉤爪状のラッチ部で構成され、
前記連動手段は、前記軸に設けられていて前記第２ガイド部材と接するロック解除部によって構成され、前記第２搬送路を開くように前記第２ガイドを回動させると、前記第２ガイド部材が、前記ロック解除部と接して、前記ラッチ部による前記第１ガイド部材のロックを解除するように前記軸を回動させ、
前記ロック解除部は、搬送されるシートが通過する通紙領域を前記ヒンジ部とで挟むように、配置されていることを特徴とした請求項３に記載のシート搬送装置。
【請求項５】
前記ラッチ部で前記第１ガイド部材をロックするために、前記軸に設けられた操作レバーと、
前記操作レバーに対する前記第２ガイド部材をロックする操作によって、前記ロック解除部が前記第２ガイド部材を押して前記第２ガイド部材が閉じ、前記第２ロック手段によって前記第２ガイド部材がロックされることを特徴とした請求項４に記載のシート搬送装置。
【請求項６】
シートに画像を形成する画像形成部と、前記画像形成部によって画像が形成されるシートを搬送する請求項１乃至５のいずれかに記載のシート搬送装置と、を備えることを特徴とする画像形成装置。
【発明の詳細な説明】
【技術分野】
【０００１】
本発明は、シートのジャム（シートの詰り）等が起こった際に開かれるガイド部材を備えたシート搬送装置及び画像形成装置に関する。
【背景技術】
【０００２】
複写機やプリンタ等の画像形成装置では、画像形成前のシートを給送するシート給送部と、シートをシート給送部から転写部で画像が転写されるように搬送するシート搬送装置と、を備えている。さらに、転写部で画像が転写されたシートは、排紙トレイ上に排紙部によって排紙される。
【０００３】
シート搬送装置には、シートを搬送するための搬送ローラ、この搬送ローラと当接してシートを挿通するニップを形成するピンチローラ（コロ）、シート搬送路を構成するガイド部材等が設けられている。
【０００４】
ところで、シート搬送装置においてジャムが発生した場合、ジャムの原因となったシートを取り除くことが必要である。例えば、シート搬送装置にシート搬送路を露出可能にする側面扉を設け、この側面扉を開いてシート搬送路と搬送部材を露出させ、シートを取り除くものがある。
【０００５】
しかし、シート搬送装置に複数の扉が設けられていると、ジャムが発生してシートを取り除くためには複数の扉を開放しなければならない。複数の扉の夫々を開放するので、ジャム処理操作に手間がかかって操作性が悪い。特に、各扉にはロック部材が設けられており、それぞれのロック部材を一つ一つ解除して扉を開く必要がある。
【０００６】
そこで、複数の扉のそれぞれをロックする複数のロック部材のロックを、手動操作する解除手段によって同時に解除する構成が提案されている（特許文献１参照）。即ち、複数の扉をロックする複数のロック部材は、共通の解除部材によって動作され、この共通の解除部材をユーザが操作することで複数のロック部材のロックを同時に解除する。
【先行技術文献】
【特許文献】
【０００７】
【特許文献１】特開２００７−０７６８０１号公報
【発明の概要】
【発明が解決しようとする課題】
【０００８】
複数のロック部材を共通の解除部材の操作でロック解除をするものでは、通常、複数のロック部材は、並設された複数の扉の回動軸と反対側の端部側にそれぞれ配置されている。すなわち、複数の扉の回動方向は同一方向であって、複数のロック部材は、シート搬送装置の同じ側に回動軸の方向に並んで設けられている。よって、複数のロック部材のロック解除を、回動軸と平行に延びた共通の解除部材で解除することができている。
【０００９】
しかし、シート搬送装置において、例えば略水平にシートを案内する水平搬送路と略垂直にシートを案内する垂直搬送路とが近接して配置されるような場合がある。このような場合には、水平搬送路を開く扉と垂直搬送路を開く扉とは互いに回動方向が異なる。このように互いに回動方向が異なった扉を備えた構成では、それぞれの扉のロック部材を解除する解除部材を共通化する従来の技術をそのまま適用することはできなかった。なぜなら、夫々の扉の回動軸が交差するので、扉が閉鎖した状態において、ロック部材の配置に適した扉の端部が、別々の位置となってしまって、ロック部材同士の距離が遠くなるからである。
【００１０】
本願発明は、互いに回動方向が異なる複数の扉を備えた構成において、扉のロック解除に関してユーザの操作性を向上させることを目的としている。
【課題を解決するための手段】
【００１１】
本発明は、シートが搬送される第１搬送路を開放可能なように回動自在に支持された第１ガイド部材と、シートが搬送される第２搬送路を開放可能なように回動自在に支持され、前記第１ガイド部材と回転方向が異なっている、第２ガイド部材と、前記第１ガイド部材をロックするロック手段と、前記第２ガイド部材が搬送路を開く方向に回動するのに連動して、前記ロック手段のロック解除を行わせる連動手段と、を備えることを特徴とするシート搬送装置である。
【発明の効果】
【００１２】
本発明においては、複数のガイド部材が、異なる回動方向に軸支されている構成において、ジャム処理時のガイド部材の開閉の操作性の向上を簡単な構成で実現することができる。
【図面の簡単な説明】
【００１３】
【図１】本発明に係る画像形成装置の断面図。
【図２】本発明に係る画像形成装置外観の斜視図。
【図３】反転部のジャム処理のための構成を示す斜視図。
【図４】下ガイドの構成を表した斜視図。
【図５】下ガイドのロック機構を説明する斜視図。
【図６】反転扉を開いた状態を示す斜視図。
【図７】フィニッシャを装着しないときの画像形成装置の断面図。
【発明を実施するための形態】
【００１４】
以下、本発明の実施の形態を図に基づいて説明する。ただし、以下の実施の形態に記載されている構成部品の寸法、材質、形状、それらの相対配置等は、本発明が適用される装置の構成や各種条件により適宜変更されるべきものであり、本発明の範囲をそれらのみに限定する趣旨のものではない。
【００１５】
図１は、本発明の実施形態の一例である画像形成装置の概略断面図である。図２は本発明の実施形態の一例である画像形成装置の斜視図である。
【００１６】
本実施形態に係る画像形成装置は画像形成装置本体１とフィニッシャ８０とにより構成されている。画像形成装置は電子写真方式を用いたカラー画像形成装置であり、多種多様なシート材への適応性やプリント生産性に優れるという利点から、４色の画像形成ユニットを中間転写ベルトの上方に並べて配置した、中間転写タンデム方式を採用している。
【００１７】
画像形成装置の構成について図１を参照して説明する。
【００１８】
画像形成装置は、シートを給送するシート給送部１０１と、シート給送部１０１によって給送されたシートを搬送するシート搬送装置１０９と、を備えている。さらに画像形成装置は、シート搬送装置１０９によって搬送されるシートに画像を形成する画像形成部１０２が設けられている。
【００１９】
シート給送部１０１は、シート収納部３０〜３４およびシート給送手段３５〜３９から構成されている。
【００２０】
画像形成部１０２は、感光体６１（６１Ｙ、６１Ｍ、６１Ｃ、６１Ｋ）、帯電装置６２（６２Ｙ、６２Ｍ、６２Ｃ、６２Ｋ）、露光装置６３（６３Ｙ、６３Ｍ、６３Ｃ、６３Ｋ）、現像装置６４（６４Ｙ、６４Ｍ、６４Ｃ、６４Ｋ）を備えている。また、画像形成部１０２は、一次転写装置６６（６６Ｙ、６６Ｍ、６６Ｃ、６６Ｋ）、および感光体クリーナ６５（６５Ｙ、６５Ｍ、６５Ｃ、６５Ｋ）を備えている。
【００２１】
画像形成部１０２は、感光体６１Ｙ、６１Ｍ、６１Ｃ、６１Ｋに形成されたトナー像が１次転写される中間転写ベルト６７、中間転写ベルト６７に重畳転写されたフルカラートナー像をシートに転写するための転写ローラ４３を備えている。中間転写ベルト６７は駆動ローラ６８、テンションローラ６９および二次転写内ローラ７０等のローラによって張架され、図中矢印Ｂの方向へと搬送駆動される。画像形成部１０２は、さらに、トナー像が転写されたシート上に画像を定着する定着器４５を備えている。
【００２２】
シート搬送装置１０９は、シート給送手段３５〜３９によって送られたシートが通過する搬送パス４０、４１や、中間転写ベルト６７と転写ローラ４３とのニップ位置にシートを送り出すレジストローラ４２を備えている。また、シート搬送装置１０９は、トナー像が転写されたシートを定着器４５へ送る定着前搬送ベルト４４を備えている。
【００２３】
シート搬送装置１０９は、定着器４５の搬送方向下流側に、シートをスイッチバック搬送する反転部８５を備えている。反転部８５には、排紙搬送パス５１、反転誘導パス５２および反転誘導パス５２を経たシートが通過するスイッチバックパス５５が設けられている。反転部８５は、スイッチバックパス５５内に設けられた反転上ローラ対５３と反転下ローラ対５４とを備えている。
【００２４】
４７は、反転部８５のスイッチバックパス５５において搬送方向を反転されたシートが搬送される両面搬送パスであり、搬送パス４１に繋がっている。シート搬送装置１０９は、さらに、排紙搬送パス５１の下流側であって、後処理ユニット１０８へシートを搬送する第１搬送路としてのバッファパス８１を備えている。
【００２５】
なお、反転部８５やバッファパス８１の詳細構成については後に説明する。
【００２６】
＜シートの搬送プロセス＞
シートは、シート収納部３０〜３４に積載される形で収納されており、各シート給送手段３５〜３９により画像形成タイミングに合わせて給送される。シート給送手段３５〜３９により送り出されたシートＳは搬送パス４０または４１を通過し、レジストローラ４２へと搬送される。
【００２７】
レジストローラ４２は、シート収納部３０〜３４から搬送されてくるシートＳを突き当ててループを作成することによりシートＳの先端を倣わせ斜行を修正する。またレジストローラ４２は、シートＳへの画像形成のタイミング、即ち、像担持体である中間転写ベルト６７上に担持されたトナー像に合わせて、所定のタイミングにてシートＳを二次転写部へ搬送する。斜行修正を行った後に、所望のタイミングにて、レジストローラ４２はシートＳを二次転写部へ送り出す。二次転写部は、対向配置された二次転写内ローラ７０および転写ローラ４３により形成されるシートＳへのトナー像転写ニップ部である。二次転写部において、所定の加圧力と静電的負荷バイアスを与えることでシートＳ上にトナー像が転写される。
【００２８】
＜画像の作像プロセス＞
二次転写部までの上記シートの搬送プロセスと同じ時期に行われる画像の形成プロセスについて説明する。
【００２９】
帯電装置６２により表面を一様に帯電され、回転する前記感光体６１に対し、送られてきた画像情報の信号に基づいて露光装置６３が駆動され潜像が形成される。感光体６１上に形成された静電潜像は、現像装置６４によるトナー現像を経て、感光体６１上にトナー像として顕在化する。その後、一次転写装置６６により所定の加圧力および静電的負荷バイアスが与えられ、中間転写ベルト６７上にトナー像が転写される。その後、感光体６１上に僅かに残った転写残トナーは前記感光体クリーナ６５により回収され、再び次の画像形成に備えている。以上説明した画像形成は、イエロー（Ｙ）、マゼンタ（Ｍ）、シアン（Ｃ）およびブラック（Ｋ）の夫々について行われる。
【００３０】
感光体６１に形成されたＹ、Ｍ、ＣおよびＫ各色のトナー画像は、中間転写ベルト６７上に一次転写されて、フルカラーのトナー像が中間転写ベルト６７に形成されることになる。
【００３１】
＜二次転写以降のプロセス＞
二次転写部においてシート上にフルカラーのトナー像が二次転写される。その後、シートＳは定着前搬送ベルト４４により定着器４５へと搬送される。定着器４５は、対向するローラもしくはベルト等による所定の加圧力と、一般的にはヒータ等の熱源による熱とで、シートＳ上にトナー像を溶融固着させる。このようにして得られた定着画像を有するシートは、内排紙ローラ４６を経由して、排紙搬送パス５１か、もしくは反転排紙や両面画像形成を要する場合には反転誘導パス５２のいずれかに搬送されるべく経路選択が行われる。
【００３２】
内排紙ローラ４６によって排紙搬送パス５１内を搬送されたシートは、フィニッシャ８０内のバッファパス８１を経由して、後処理ユニット１０８へ送られ、後処理ユニット１０８で必要に応じて後処理が施される。そしてシートは、最終的に、排紙積載部８３ｂ、８３ｃ、８３ｄに排紙される。
【００３３】
両面画像形成を要する場合、シートＳは反転誘導パス５２から反転上ローラ対５３、反転下ローラ対５４を経由してスイッチバックパス５５内へと引き込まれる。スイッチバックパス５５において、反転下ローラ対５４の回転方向をそれまでとは逆転させること（スイッチバック動作）を行うことでシートの先後端を入れ替え、両面搬送パス４７へと搬送される。その後、両面ローラ４８ａ〜４８ｄによって、各シート給送手段３５〜３９より搬送されてくる後続シートとのタイミングを合わせて搬送パス４１に合流し、レジストローラ４２を経て二次転写部へと送られる。
【００３４】
裏面（２面目）の画像形成プロセスに関しては、先述の表面（１面目）の場合と同様なので説明は省略する。
【００３５】
シートを反転排紙させる場合には、反転誘導パス５２からスイッチバックパス５５へと引き込んだ後、反転上ローラ対５３、反転下ローラ対５４の逆転により、送り込まれた方向と反対向きに退出させ、反転排紙パス５６を経由してバッファパス８１へと送られる。
【００３６】
＜反転部８５およびバッファパス８１のジャム処理のための構成＞
次に、ジャムが発生したときに、反転部８５やバッファパス８１に滞留したシートを取り除くときのための構成について説明する。
【００３７】
まず、反転部８５の近傍を示した画像形成装置の斜視図である図３（ａ）を用いて、反転部８５の構成について説明する。なお、図３（ａ）では反転部８５の構成をわかりよくするために、フィニッシャ８０の図示を省略している。また、画像形成装置の正面に向かう側を装置前側と呼び、装置前側と反対側を装置奥側と呼んで以下では説明する。
【００３８】
反転部８５には、画像形成装置本体１に回動自在な反転扉５７が設けられている。反転扉５７は、装置奥側に設けたヒンジ部によって回動自在に画像形成装置本体１に支持されている。９３は反転扉５７の回動中心を示し、図に示したよう鉛直な回動中心９３を中心に反転扉５７は回動される。つまり、反転扉５７は、装置奥側にある回動中心周りに、水平方向に回動可能となっている。
【００３９】
反転扉５７は、反転上ローラ対５３の一方のローラを保持している。反転扉５７は、反転下ローラ対５４の一方のローラを保持している。反転扉５７の内面は、第２搬送路であるスイッチバックパス５５や反転誘導パス５２を形成する搬送ガイド面となっている。図５のように反転扉５７の回動により、反転上ローラ対５３、反転下ローラ対５４は夫々が離間するとともに、第２搬送路としての反転誘導パス５２やスイッチバックパス５５が開放可能となる。反転扉５７を回動することによって、排紙搬送パス５１、反転誘導パス５２、スイッチバックパス５５、反転排紙パス５６（図１参照）に滞留したシートのジャム処理な状態となる。反転扉５７には、フィニッシャ８０のバッファパス８１へシートをガイドする案内部材である受け渡しガイド８６が設けられている。
【００４０】
反転扉５７には、反転扉５７を閉鎖位置でロックするための扉ロック機構２０１を備えている。扉ロック機構２０１は、図３（ｂ）に詳細を示したように、反転扉５７に回動自在に設けられたフック軸２０２と、フック軸２０２に設けられた反転フック９２および把手９１とで構成される。反転フック９２は、画像形成装置本体１に設けられるピン９６と係合することによって反転扉５７を閉じた位置にロックする。把手９１は反転扉５７の外面から露出する。反転フック９２は、把手９１をユーザが操作して、フック軸２０２を解除方向２０３に回動させることで、画像形成装置本体のピン９６との係合を外すことができるようになっている。
【００４１】
つまり、反転扉５７を開ける際にはロック解除操作部としての把手９１をユーザが操作することによって、反転フック９２のロックが解除される構成になっている。一方、反転扉５７を閉めると反転フック９２によって自動的にロックがかかる。
【００４２】
反転下ローラ対５４のニップ圧を得るように、反転下ローラ対５４のローラ同士は付勢手段としての不図示の付勢バネによって付勢されている。また反転上ローラ対５３も、反転下ローラ対５４と同様に、ニップ圧を得るように互いに付勢バネによって付勢されている。この付勢バネの反力によって、反転扉５７を閉じた状態では、反転扉５７には常に開く方向に力が働いている。反転扉５７が閉じられているときには、付勢バネが縮むことで開く方向の力が反転扉５７に作用しているものの、反転フック９２とピン９６との係合によって反転扉５７の開きが規制された状態となっている。言い換えれば、反転フック９２で反転扉５７が開く方向に移動しないようにすることで、付勢バネを用いて、反転下ローラ対５４、反転上ローラ対５３のニップ圧を得ている。
【００４３】
続いて、排紙オプションとしてのフィニッシャ８０に設けられたバッファパス８１を開放するための構成について図４を使って説明する。図４は、バッファパス８１の近傍を示した斜視図であって、図４（ａ）はバッファパス８１が閉じられている状態を、図４（ｂ）は、バッファパス８１が開放されていく過程をそれぞれ示している。
【００４４】
本発明の第１ガイド部材としての下ガイド８４が、回動自在にフィニッシャ８０の本体に取り付けられている。下ガイド８４の上面がバッファパス８１を形成するガイド面となっている。図６における９９９は、下ガイド８４の回動中心を示している。下ガイド８４の回動中心９９９は、水平な方向（装置前奥方向）に延びていて、上述の反転扉５７の回動中心と直交する。
【００４５】
バッファパス８１は、図４（ｂ）に示されるように、一端側が軸支された下ガイド８４を下方に回動することによって開放される。図４（ｂ）において、４０１は、下ガイド８４がバッファパス８１を露出するように回動する方向を示している。図４（ｂ）において、符号８４Ａは下ガイド８４が搬送路を形成する通常の位置を示している。下ガイド８４は、８４Ａで示した位置から８４Ｂで示した位置へ、そして、最大開放位置である８４Ｃの位置まで回動可能である。
【００４６】
なお、下ガイド８４の回動中心が装置の手前奥方向に延びるように設けているのは、バッファパス８１の下ガイド８４を回動させてジャム処理するために要するスペースを小さくするためである。
【００４７】
下ガイド８４をロックする機構について図５の斜視図を用いて説明する。
下ガイド８４には、ラッチ軸９５が回動自在に取り付けられている。ラッチ軸９５の装置後側の端部には、ラッチ部としてのガイドフック９３が設けられている。ラッチ軸９５の装置前側の端部にはユーザが操作するための操作レバーとしてのノブ９４が設けられている。そして、ラッチ軸９５には、ロック解除部としてのロック解除部材８７が設けられている。このロック解除部材８７は、反転扉５７に形成された当接部８８と接する。
【００４８】
鉤爪状のガイドフック９３は、フィニッシャ８０の本体に設けられたピン９９７と係合することによって下ガイド８４を閉鎖位置にてロックする。下ガイド８４を閉めると、本発明のロック手段としてのガイドフック９３によりロックがかかり、下ガイド８４を開ける際にはノブ９４をユーザが回すことによりロックが解除されて下ガイド８４の自重によって下ガイド８４が回動する。
【００４９】
ここで、図５に示されているように反転扉５７に近接して下ガイド８４が配置されている。そして、バッファパス８１の下ガイド８４と反転扉５７の回動軌跡とは互いにオーバーラップしている。
【００５０】
本実施形態における反転扉５７および下ガイド８４の開閉動作について主に図５を用いて詳細に説明する。
反転扉５７を閉鎖位置から開く動作によって、反転扉５７の当接部８８がロック解除部材８７と接して、ラッチ軸９５を、ガイドフック９３とピン９９７との係合が外れるように回動させる。即ち、反転扉５７を開くことで当接部８８がロック解除部材８７に当接すると、ロック解除部材８７は水平方向の力を受けることになって、ラッチ軸９５を中心に時計周りに回転させる。ラッチ軸９５の回転によって、ラッチ軸９５に設けられたガイドフック９３も時計回りに回転し、ガイドフック９３によるロックが外れる（図５（ｂ）参照）。なお、反転扉５７の当接部８８やロック解除部材８７が、反転扉５７を開く方向に回動するのに連動して、ガイドフック９３のロック解除を行わせる本発明の連動手段を構成している。
【００５１】
本実施形態では、本発明の第２ガイド部材としての反転扉５７のロック解除操作によって、ガイドフック９３のロック解除が行われるようになっている。既述のように反転扉５７は、反転上ローラ対５３、反転下ローラ対５４のニップ力を得るための付勢ばねの反力により開く方向に力を受けている。反転扉５７をロックする第２ロック手段としての反転フック９２のロックを解除するように把手９１を操作すると、反転上ローラ対５３、反転下ローラ対５４のニップ力を得るための付勢ばねの力により、反転扉５７は開く方向に回動する。この反転扉５７の移動で、ガイドフック９３とピン９９７との係合がはずれる。つまり、反転扉５７が閉じた状態で圧縮していた付勢ばねが反転フック９２の解除で伸張して、付勢ばねの付勢力で反転扉５７が移動する。この際の付勢ばねの付勢力による反転扉５７の移動によって、ガイドフック９３とピン９９７との係合が外れるように当接部８８がロック解除部材８７を回動させる。
【００５２】
ここで、反転扉５７は、装置奥側にあるヒンジ部で水平方向に回動するため、同じ回転角度でも装置前側の方が移動量は大きくなっている。そこで、受け渡しガイド８６の装置前側に、即ち搬送されるシートの通紙領域を挟んで、反転扉５７のヒンジ部と反対側に、当接部８８を設けている。このようにすることにより、反転扉５７の開放角度が小さい時点で、ロック解除部材８７に当接部８８を当接させて、ガイドフック９３のロック解除を確実に行うことが可能になる。
【００５３】
ガイドフック９３とピン９９７との係合が外れると、下ガイド８４はその自重によって、下ガイド８４の搬送方向上流側となる部分が下方に向いた位置まで回動する。この状態から、反転扉５７を更に大きく開くと、反転扉５７の受け渡しガイド８６の先端部が下ガイド８４を押して、下ガイド８４が更に回動することができる（図６参照）。なお、反転扉５７を開かなくても、ノブ９４を操作することで、ガイドフック９３とピン９９７との係合を外して、下ガイド８４単独で回動できることは既に述べた通りである。
【００５４】
既述のようにバッファパス８１の下ガイド８４と反転扉５７の回動軌跡とは互いにオーバーラップしている。反転扉５７を開くと下ガイド８４はロック解除されて、反転扉５７を開放する動作で下ガイド８４が回動するようになっている。
【００５５】
また、ノブ９４を反時計周りに回すことにより、ロック解除部材８７が受け渡しガイド８６の当接部８８を押して反転扉５７を閉め、反転フック９２で反転扉５７をロックさせることができる。つまり、ノブ９４の操作によって下ガイド８４のロックと反転扉５７のロックとがなされる。
【００５６】
なお、反転扉５７や下ガイド８４の開放は、図２で示した装置前側にあるフィニッシャ外装カバー２０９を開いた状態で行われる。
【００５７】
本実施形態に効果を述べる。
反転扉５７を開く動作に連動して、ガイドフック９３による下ガイド８４のロックが解除される。したがって、ガイドフック９３のロック解除に関して操作性が向上する。そして、反転扉５７を開くと、反転扉５７と下ガイド８４とが接して下ガイド８４を回動させるようになっている。よって反転扉５７の回動軌跡と、下ガイド８４の回動軌跡とが、オーバーラップしているものの、ユーザの操作手順の誤りなどで反転扉５７と下ガイド８４とが互いに不都合な干渉を起こして損傷したりすることがない。
【００５８】
反転扉５７のロックを解除するための把手９１に対するユーザの操作で反転扉５７が閉鎖位置から回動して、ガイドフック９３による下ガイド８４のロック解除が行われるので、操作性がよい。このときの反転扉５７の回動は、反転下ローラ対５４や反転上ローラ対５３のニップ圧を得るための付勢バネの付勢力が寄与するのでリーズナブルである。
【００５９】
そして、下ガイド８４のロック解除は、反転扉５７の開放時にラッチ軸９５に設けたロック解除部材８７と反転扉５７の当接部８８と接することで行われる。ここで、本実施形態では、搬送されるシートの通紙領域を挟んで、反転扉５７のヒンジ部と反対側に、当接部８８を設けている。よって、反転扉５７の開放角度が小さい時点で、ガイドフック９３のロック解除が行われる。反転扉５７のヒンジ部に近い位置に、ロック解除部材８７との当接部を設けた場合と比較して、同じ反転扉５７の回転角度であっても当接部８８の移動量が大きくなるからである。このことは、反転下ローラ対５４のニップ圧を得るための付勢バネの付勢力を、効果的にガイドフック９３のロック解除に寄与させることになってユーザのガイドフック９３のロック解除に伴う操作力の低減に繋がる。
【００６０】
また、既述の実施形態ではガイドフック９３が装置奥側にある例を示したが、奥、手前に１つずつ用いた構成であってもよい。また、既述のようにフックを用いたラッチ機構とマグネットを併用したロック機構であってもよい。
なお、本実施形態のフィニッシャ８０は画像形成装置本体１に着脱自在である。フィニッシャ８０が取り外されたときには、図７に示したように、画像形成装置本体１の反転扉５７に排紙トレイ５０を装着して、排紙トレイ５０上に画像形成済みのシートを排出する。
【符号の説明】
【００６１】
１  画像形成装置
５５  スイッチバックパス（第２搬送路）
５７  反転扉（第２ガイド部材）
８１  バッファパス（第１搬送路）
８４  下ガイド（第１ガイド部材）
８７  ロック解除部材（連動手段）
８８  当接部（連動手段）
９３  ガイドフック（ロック手段、ラッチ部）
９５  ラッチ軸
【図１】
2011011838.tif 000003
【図２】
2011011838.tif 000004
【図３】
2011011838.tif 000005
【図４】
2011011838.tif 000006
【図５】
2011011838.tif 000007
【図６】
2011011838.tif 000008
【図７】
2011011838.tif 000009